(57)【特許請求の範囲】
【請求項１】
摺動可能に上方向に付勢されパン用ラックに取付けられる支持体と、
上記パン用ラックに支えられたパンのスライスをトーストする際に上記支持体を押下げるよう配置された解放可能な留め具と、
上記留め具が取付けられた上記支持体に接続され、手動で付勢され掛合可能な動作アームと、
加熱要素に電力を供給するよう配置され、上記アームが最下位置に押下げられる場合に上記アームによって閉成される電源スイッチとを含み、
上記動作アームは上記支持体に旋回可能に接続され、
上記動作アームを旋回させ、上記電源スイッチを開成するようトーストサイクルの終わりにおいて上記留め具を自動的に解放する手段を有することを特徴とする自動ポップアップ式電気トースタ。
【請求項２】
上記解放可能な留め具は、上記動作アームが上記支持体と共に最下位置に押下げられるといつでも閉成するよう配置された補助電気スイッチの磁気に依存する可動式部品から構成され、
上記部品は、タイマによって上記補助スイッチへの電力が遮断されると、上記動作アームを旋回させるよう自動的に磁気的に解放される請求項１記載の自動ポップアップ式電気トースタ。
【請求項３】
上記留め具が放された後に、上記支持体が上記最下位置の上の中間位置以上に動かされるまで、上記動作アームが上記電源スイッチを閉成することを自動的に機械的にできないようにし、それにより、上記パン用ラックが対応する中間位置以上に動かされる前に上記電源スイッチが上記動作アームを用い手動で再び閉成されることを一時的に阻止する手段を有する請求項１又は２記載の自動ポップアップ式電気トースタ。
【発明の詳細な説明】
【０００１】
【発明の属する技術分野】
本発明は電気トースタに係る。
【０００２】
【従来の技術】
電気トースタ又はいわゆる「ポップアップ式トースタ」は周知であり、典型的にトーストサイクルの終わりにおいて加熱要素への電力を自動的にオフにするタイマ又は他の装置を含む。同時にバネによって付勢されたパン用ラックがトースタ内で解放され、トーストがポップアップされ使用するために取り出される。
【０００３】
【発明が解決しようとする課題】
一般的に、スイッチの開成とポップアップ式留め具の機械的レリーズは相互に関連しており、従って、パンのトーストされたスライスが詰まると、電源がオフにされることが阻止される場合がある。これはトーストを焦がす可能性及び火災を発生させる可能性がある。
【０００４】
【課題を解決するための手段】
本発明は上述の問題を解決することを目的とする。
【０００５】
本発明は、摺動可能に上方向に付勢されパン用ラックに取付けられる支持体と、ラックに支えられたパンのスライスをトーストする際に支持体を押下げるよう配置された解放可能な留め具と、留め具が取付けられた支持体に接続され、手動で付勢され掛合可能な動作アームと、加熱要素に電力を供給するよう配置され、アームが最下位置に押下げられる場合にアームによって閉成される電源スイッチとを含み、動作アームは支持体に旋回可能に接続され、動作アームを旋回させ、電気スイッチを開成させるようトーストサイクルの終わりにおいて留め具を自動的に解放する手段を含むトースタを提供する。
【０００６】
解放可能な留め具は、動作アームが支持体と共に最下位置に押化されるといつでも閉成するよう配置された補助電気スイッチの磁気に依存する可動式部品から構成され、タイマによってその部品は補助スイッチへの電力が遮断されると動作アームを旋回させるよう自動的に磁気的に解放される。
【０００７】
トースタは、留め具が解放された後に、支持体が最下位置の上の中間位置以上に動かされるまで動作アームが電源スイッチを閉成することを自動的に機械的にできないようにさせ、それによりパン用ラックが対応する中間位置以上に動かされる前に電源スイッチが動作アームを用い手動で再び閉成されることを一時的に阻止する手段を含む場合もある。
【０００８】
本発明のポップアップ式トースタを、添付図面を参照し実施例によって説明する。
【０００９】
【発明の実施の形態】
図を参照するに、図１では、全体の配置は広く使用されているポップアップ式トースタの既知の設計と一致する。支持体１０はパン用ラック１１及び１２に接続され、トースタ本体（図示せず）の１つの端で垂直な棒１３に摺動可能なように取付けられる。バネ１４及び１５によって支持体は上方向に付勢される。動作アーム１６及び動作アーム１６の端に取付けられる指押しボタン１７は、支持体１０を最下位置にするよう手動で下方向に押し、使用する際のトーストサイクルを始めるよう設けられる。トースタは、弾力があるよう付勢された接触部１９を有する電源スイッチ１８を含む。補助アーム２１は、補助アーム２１に弾力のある延長部を形成するよう補助アームの遠い方の端に取付けられる線バネ２２を有する。補助アーム２１は機械的に弾力のある接触部１９に接続され、接触部１９と共に動く。各トーストサイクルの終わりにおいて支持体１０は自動的に解放され、バネ２２が上方に動き、スイッチ１８が開成することが可能となるよう好適なタイマ（図示せず）の制御下で従来技術において一般的に既知である方法でソレノイドコイル２３への電力が遮断される。
【００１０】
動作アーム１６の下部に接続され、トースタのシャシ部材に固定されたコイル２３及び強磁性コア２４と協働するラッチ板２０が設けられる。ラッチ板２０、コイル２３及び強磁性コア２４は補助電気スイッチを形成する。動作アーム１６が押下げられ、支持体１０がその最下位置に到達すると、ラッチ板２０はコア２４の上部に隣接して置かれる。電力がコイル２３に供給される一方で、ラッチ板２０は、各トーストサイクルにおいて動作アーム１６、更に支持体１０を押下げる留め具として作用する。
【００１１】
通常動作において、パンのスライスはパン用ラック１１及び１２に置かれ、支持体１０をその最下位置へ動かすようボタン１７が押下げられる。動作アーム１６はバネ２２を押し、電源スイッチ１８の接触部１９を閉成する。タイマは補助スイッチがトースト期間を計るよう閉成されると、計時し始める。電流がコイル２３を流れ、ラッチ板２０が磁界によって押下げられる。その間に、電力はスイッチ１８を介し加熱要素に流れ、パンをトーストする。各トーストサイクルの終わりにおいて、タイマによってコイル２３への電流は遮断され、ラッチ板２０は、支持体１０（及び動作アーム１６）がバネ１５の動作下で上方に動き、トーストされたパンが「ポップアップする」ことができるよう（磁気的に）解放される。動作アーム１６がバネ２２に押下げられなくなるので、電源スイッチ１８は自動的に開成する。従って、ここまでは、説明されたトースタは市場において既に広く使用されている周知のトースタと同様の方法で動作する。
【００１２】
図２に、動作アーム１６が支持体１０のＡに旋回可能なように接続されることを示す。動作アーム１６はバネ２５（図１及び図３に示す）によって上方向に付勢される。支持体１０がその最下位置にある場合、図２に示されるように、動作アーム１６は水平であり、ラッチ板２０はコア２４の直ぐ上に配置される。上述されたように、コイル２３が電流を受けている場合、動作アーム１６は、支持体を最下位置に保持するようラッチ板２０によって押下げられ、このことはトーストする際に必要とされる。動作アーム１６が下に動かされると、動作アームの底面１６Ａはバネ２２を押し、各トーストサイクルに対し電源スイッチ１８を要求されるよう閉成する。
【００１３】
各トーストサイクルの終わりにおいて、動作アーム１６は上述のように通常通りに解放される。その結果、接触部１９はバネで開き、補助アーム２１、従ってバネ２２が上方向に動く。従って、通常動作において、支持体１０はバネ１４及び１５の作用下でトーストを「ポップアップ」させる。
【００１４】
図３に示すような配置は、支持体１０がトーストサイクルの終わりにおいて、例えば支持体が何らかの方法で詰まり、又はトースト自体によって押下げられて上方向に動くことができない場合に起こる。このような場合、ラッチ板２０が（磁気的に）解放されると、動作アーム１６がバネ２５の作用下で上方向に旋回する。これによりバネ２２は支持体１０に固定されたブラケット２７に成形されたスロット２６に入り、スロット２６内で上方向に動くことが可能になる。これは、動作アーム１６が以後押下げられると、この段階においては動作アームの底面１６Ａより上にあるバネ２２は、通常はスイッチ１８を閉成するためにバネ２２に押下げられるよう使用される動作アーム１６によって掛合されていないことを意味する。従って、図３に示される位置から下方向への動作アーム１６の動きは、スイッチ１８を閉成することができない。従って、電力は加熱要素に再び供給されることができない。従って、支持体１０がその最下位置で詰まっても、支持体１０が適当に持ち上げられるまでさらに加熱されない。
【００１５】
従って説明された実施例は、各トーストサイクルの終わりで加熱電力がオフにされる以外に更なる安全特徴を含む。この更なる安全特徴はユーザが手動で加熱電流を再び確立させることを阻止する。つまり、タイマが計時を終了させた後に加熱要素への電力をオンにする。従って、図３に示されるように、ユーザが動作アームを下方向に傾ける又は押したとしても、加熱要素への電力供給を確立させるようスイッチ１８は閉成されない。支持体１０が、図３に示す位置から、バネ２２が再び動作アーム１６の底面１６Ａの下にありその結果スロット２６の底部が閉成される「中間位置」を越えて上方向に動くと、次のトーストサイクルのための電力供給が再び確立される。これは、動作アーム１６の底部がバネ２２を再び押しスイッチ１８を閉成するようバネ２２を下方向に押すからである。
【００１６】
従って、上述の実施例では、支持体１０がその最下位置において詰まって動かなくなった場合の２つの安全特徴が与えられる。加熱コイルへの電力供給は、各トーストサイクルの終わりにおいて自動的にオフにされ、更に支持体１０が少なくとも中間位置以上に動かされる前に手動で電力供給を再確立させることはできない。つまり、動作アーム１６は、支持体１０が中間位置以上に動かされるまで電源スイッチ１８を閉成することが機械的にできなくされる。上方向への動きにより、機構は自動的に再設定され作動不良が解決されると、次のトーストサイクルが通常通りに開始される。
【００１７】
従って、説明された実施例では、２重の安全機能が得られることを理解する。しかし、本発明の他の実施例では、１つのみ又は別の安全機能が設けられる場合もある。更に、切換機能及び留め具のレリーズ機能は、本発明の他の実施例に組込むために別の方法によって与えられることも可能である。本発明の実施例では、トーストサイクルの終わりにおいて、押下げ留め具が自動的に解放され、支持体がその最下位置において支持体を持ち上げようとするバネの付勢に抵抗し留まっていても電力供給スイッチが開成されることが保証されることが技術的に必要である。上記は従来技術の設計が対処することができなかったことである。実施例で説明されるように、通常は動作アーム１６を下方向に押すことにより閉成されるスイッチ１８が、支持体が解放され、中間位置を越えて上方向に動かされるまで再び閉成することができないことが保証されることも好適であるが、幾つかの適用には必要不可欠なものではない。更に、動作アーム１６が電源スイッチを閉成する閉成機能を一時的できなくするために他の機械的「ロック機構」が使用される場合もあることを理解する。このような別の配置も本発明の請求項の範囲内に含まれる。
【図面の簡単な説明】
【図１】本発明のトースタの主要な部品を示す分解図である。
【図２】動作アームの１つの配置を示す図１の一部を示す側面図である。
【図３】動作アームの異なる配置を示す図１の一部を示す側面図である。
【符号の説明】
１０    支持体
１１、１２  パン用ラック
１３    垂直な棒
１４、１５  バネ
１６    動作アーム
１６Ａ  動作アームの底面
１７    ボタン
１８    電源スイッチ
１９    接触部
２０    ラッチ板
２１    補助アーム
２２    バネ
２３    ソレノイドコイル
２４    強磁性コア
２５    バネ
２６    スロット
２７    ブラケット
【図１】
0003593041.tif 000002
【図２】
0003593041.tif 000003
【図３】
0003593041.tif 000004